(57)【特許請求の範囲】
【請求項１】
半円筒状の二分割型磁芯の上・下一組をそれぞれ収納する上ケースおよび下ケースからなるコアケースでケーブルを挟持するノイズフィルタであって
前記半円筒状の二分割型磁芯の上・下一組は前記ケーブルを挟持するための半円筒状溝部をそれぞれ備え、
前記上ケースおよび下ケースの一対の短辺側面は半円状切欠き部をそれぞれ備え、
前記下ケースの一対の短辺側面は、前記下ケースの長辺側面との近傍において長手方向内側に凹んだ凹短側部を備え、該凹短側部の外側表面には前記長手方向に伸びる小突起および前記小突起を中心とした同心円上に設けた複数の小凸部が形成されており、前記上ケースの一対の短辺側面は、前記凹短側部に接するように前記上ケースの短辺側面から伸びた突起耳部を備え、該突起耳部には前記小突起を挿嵌する貫通孔および複数の小穴が形成され、前記上ケースの貫通孔に前記下ケースの小突起が挿嵌させたヒンジ構造を有し、前記下ケースの小穴に前記上ケースの小凸部に挿嵌して固定することを特徴とするノイズフィルタ。
【発明の詳細な説明】
【０００１】
【発明の属する技術分野】
本発明は、コアケースに関し、電力または信号のケーブルを挟持しクランプする半円筒状の二分割型磁芯を上・下一組を内蔵するコアケースに関し、コアケースによりケーブルからの輻射ノイズを除去するノイズフィルタに関するものである。
【０００２】
【従来の技術】
従来のノイズフィルタ用のコアケースは、図３に示すように電力または信号のケーブル１１を挟持するとともに半円筒状の二分割型磁芯の上・下一組１３−１および１３−２を、樹脂（６６ナイロン）製の上ケース１５および下ケース１７に収納したものである。上ケース１５および下ケース１７は、板厚０．５ｍｍの板ヒンジ１９によって連結されている。半円筒状の二分割型磁芯の上・下一組１３−１および１３−２は、ケーブル１１を挟持するための半円筒状溝部をそれぞれ備えている。同様に、上ケース１５および下ケース１７の短辺側面にも半円状溝部をそれぞれ備えている。
【０００３】
使用する際には、板ヒンジ１９を１８０度曲げて上ケース１５および下ケース１７を突き合わせて係合させることにより、ケーブル１１を挟持して固定する構造であった。
【０００４】
【発明が解決しようとする課題】
従来のコアケースでは、上ケース１５および下ケース１７の上下に開くとき、板ヒンジ１９が１８０度湾曲して機械的応力を受ける。このとき、板ヒンジ１９は板厚が薄肉のため折れやすく、一旦破損してしまうと二度と使用できなくなるという欠点がある。この欠点を除去するために、板ヒンジ１９の長手方向に沿った両端部分にＲ加工を施して強化していた。
【０００５】
しかしながら、このようなＲ加工を施しても、乾燥時や低温時には上ケース１５および下ケース１７を突き合わせて係合させる際に板ヒンジ１９が折れやすく、コアケースの成形工程の後に板ヒンジ１９に水分を強制的に含有させる工程をいちいち設ける必要がある。
【０００６】
また、板ヒンジ１９は板厚のばらつき、経時変化等によりコアケースを開いたとき、板ヒンジ１９の回りの上ケース１５および下ケース１７の開き角度に大きな差、すなわち、ばらつきが生じてしまう。そのため、ケーブル１１を再び挟持・クランプしようとすると開き角度に応じたコアケースを閉じる力が必要になり、手間がかかってしまうという欠点もある。
【０００７】
本発明の技術的課題は、このような欠点を除去し、コアケースの成形工程の後に板ヒンジ１９に水分を強制的に含有させる工程をなくし、コアケースの開閉時に破損せず、また、コアケースの開き角度にばらつきのないコアケースを提供することである。
【０００８】
【課題を解決するための手段】
本発明によれば、半円筒状の二分割型磁芯の上・下一組をそれぞれ収納する上ケースおよび下ケースからなるコアケースでケーブルを挟持するノイズフィルタであって、前記半円筒状の二分割型磁芯の上・下一組は前記ケーブルを挟持するための半円筒状溝部をそれぞれ備え、前記上ケースおよび下ケースの一対の短辺側面は半円状切欠き部をそれぞれ備え、前記下ケースの一対の短辺側面は、前記下ケースの長辺側面との近傍において長手方向内側に凹んだ凹短側部を備え、該凹短側部の外側表面には前記長手方向に伸びる小突起および前記小突起を中心とした同心円上に設けた複数の小凸部が形成されており、前記上ケースの一対の短辺側面は、前記凹短側部に接するように前記上ケースの短辺側面から伸びた突起耳部を備え、該突起耳部には前記小突起を挿嵌する貫通孔および複数の小穴が形成され、前記上ケースの貫通孔に前記下ケースの小突起が挿嵌させたヒンジ構造を有し、前記下ケースの小穴に前記上ケースの小凸部に挿嵌して固定することを特徴とするノイズフィルタが得られる。
【００１０】
【作用】
下ケースの短辺側面は、下ケースの長辺側面の近傍において長手方向内側に凹んだ凹短側部を備え、凹短側部の外側表面には長辺側面に沿って伸びる小突起および複数の小凸部が形成されている。一方、上ケースの短辺側面は、上ケースの短辺側面に沿って伸びた突起耳部を備え、突起耳部には貫通孔および複数の小穴が形成されている。突起耳部が凹短側部に接するように配されるときに、小突起および複数の小凸部は貫通孔および小穴に挿嵌される。これにより、上ケースおよび下ケースの開閉する角度が一定となり上ケースおよび下ケースは容易にヒンジされ、それにより、ケーブルが固定される結果、コアケースは互いにクランプされる。
【００１１】
【発明の実施の形態】
以下、本発明のコアケースの実施の形態について、図面を参照して詳細に説明する。従来例と同じものは同一の参照符号を付す。
【００１２】
【実施例】
図１〜図３を参照して、本発明のコアケースの特徴は、コアケースを開閉するための上ケース１５および下ケース１７のヒンジ機構である。
【００１３】
図２に示すように、下ケース１７の２つの短辺側面は、下ケース１７の長辺側面との近傍において長手方向内側に凹んだ凹短側部２１をそれぞれ備えている。凹短側部２１の外側表面には長辺側面に沿って伸びる小突起２３がそれぞれ形成されている。さらに、その外側表面には小突起２３を中心にして同心円上に所定の角度で複数の小凸部２５がそれぞれ設けている。
【００１４】
一方、上ケース１５の短辺側面は、図２の矢印に示すように凹短側部２１に接するように配され、上ケース１５の短辺側面の一部から伸びた突起耳部２７をそれぞれ備えている。突起耳部２７には貫通孔２９および複数の小穴３１が、小突起２３および複数の小凸部２５を挿嵌するようにそれぞれ対応して形成されている。
【００１５】
以上説明した本発明の構成により、図１のように上ケース１５および下ケース１７の中に二分割型磁芯の上・下一組１３−１および１３−２を装着し、上ケース１５および下ケース１７を互いに閉じると、突起耳部２７が凹短側部２１に接するように配され小突起２３および複数の小凸部２５は貫通孔２９および複数の小穴３１に挿嵌される。このようにコアが閉じられると、ケーブル１１を固定できる結果、上ケース１５および下ケース１７は互いにクランプされる。
【００１６】
尚、小突起２３および複数の小凸部２５は、貫通孔２９および複数の小穴３１に挿嵌されると述べたが、取り外しが容易にするために複数の小凸部２５だけを複数の小穴３１に遊嵌するようにしても良い。
【００１７】
【発明の効果】
以上説明したように、本発明のコアケースのヒンジ構造によれば、コアケースの成形工程の後に板ヒンジに水分を強制的に含有させる工程をなくすことが可能になる。
【００１８】
しかも、コアが閉じられると、ケーブルが挟持されるだけでなく固定されるため、上ケースおよび下ケースを互いにしっかりとクランプできる。
【００１９】
また、コアケースの開閉時に破損せず、また、コアケースの開き角度にばらつきのないコアケースを提供できるという効果を奏する。
【図面の簡単な説明】
【図１】本発明のコアケースによる実施の形態を示す斜視図である。
【図２】図１のコアケースの分解斜視図である。
【図３】従来のコアケースの斜視図である。
【符号の説明】
１１    ケーブル
１３−１および１３−２    半円筒状の二分割型磁芯の上・下一組
１５    上ケース
１７    下ケース
１９    板ヒンジ
２１    凹短側部
２３    小突起
２５    複数の小凸部
２７    突起耳部
２９    貫通孔
３１    複数の小穴
【図１】
0003822285.tif 000002
【図２】
0003822285.tif 000003
【図３】
0003822285.tif 000004